(57)【要約】【課題】遊技機設置島の上部の固定機構、調節機構、若しくは、それらを操作するための貫通孔を隠し、見栄えを良くしながらも、それらの機構の操作を妨げることがないように、呼び出しランプを遊技機設置島に取り付けることを可能とするため技術を提供する。【解決手段】呼び出しランプ取付部材１００は、矩形状の器体であって、その上端部は蝶番１１０で遊技機設置島２００に回動自在に支持され、開閉可能となっている。呼び出しランプ取付部材１００の両側端部には、一端がランプボード２１０に取り付けられた支持アーム１２０が取り付けられている。この支持アーム１２０は、呼び出しランプ取付部材１００を、開いた状態でロックし、保持することができる。【選択図】図８
2010264101.tif 000002
【特許請求の範囲】
【請求項１】
遊技場において遊技者が従業員の呼び出しを行うために用いられる呼び出しランプを、呼び出しランプを取り付けるためのランプボードを有し、当該ランプボードに内部機構を操作するための貫通孔が設けられる所定の遊技機設置島に取り付けるために使用される部材であって、
前記呼び出しランプが取り付けられる本体部と、
前記本体部の上端を前記ランプボードに回動自在に支持するための支持機構とを有しており、
前記本体部で前記貫通孔を覆い隠すように、前記支持機構によって前記ランプボードに支持される、
呼び出しランプ取付部材。
【請求項２】
前記ランプボードに前記支持機構によって回動自在に取り付けられた前記本体部を、前記内部機構が操作可能となる所定の回動位置でロックするためのロック機構をさらに有する、
請求項１記載の呼び出しランプ取付部材。
【請求項３】
前記ランプボードには、複数の貫通孔が設けられており、
前記本体部は、前記複数の貫通孔を覆い隠すことが可能な大きさに形成されている、
請求項２記載の呼び出しランプ取付部材。
【請求項４】
前記本体部の前記呼び出しランプが取り付けられる面は、取り付けられた前記呼び出しランプが下方から見やすくなるように、下向きに傾斜している、
請求項３記載の呼び出しランプ取付部材。
【請求項５】
前記本体部には、前記呼び出しランプの一部を嵌め込むための凹部が設けられている、
請求項４記載の呼び出しランプ取付部材。
【請求項６】
所定の遊技機が設置されるためのものであり、呼び出しランプを取り付けるためのランプボードを有する遊技機設置島であって、
前記ランプボードに、内部機構を操作するための貫通孔が設けられており、
前記貫通孔を覆い隠すように、請求項１記載の呼び出しランプ取付部材が支持されている、
遊技機設置島。
【発明の詳細な説明】
【技術分野】
【０００１】
本発明は、遊技場において、従業員の呼び出し、大当たりの告知等を行うための呼び出しランプを、遊技機が設置される遊技機設置島に取り付けるための技術に関するものである。
【背景技術】
【０００２】
一般的に、パチンコ台等の遊技機は、遊技機設置島に設置され、この遊技機設置島の上部のランプボードに、従業員の呼び出し、大当たりの告知等の種々の表示を行うための呼び出しランプが設置される。
【０００３】
また、遊技機設置島の上部のランプボードの背後には、遊技機を固定するための固定機構や、設置後に遊技機の前後位置や傾斜を調節するための調節機構が設けられる場合がある。
【０００４】
しかし、ランプボードは固定されたものとされるのが通常であったため、一旦、遊技機を設置した後に、ランプボードの背後の固定機構や調節機構を操作することは難しかった。そのため、ランプボードを開閉自在とし、ランプボードを開いた状態で、内部の固定機構や調節機構を操作可能とするための技術を本出願人は開発した。
【０００５】
このようなランプボードは、通常、遊技機設置島の上部に複数台の遊技機ごとに一連に設けられているが、背後の固定機構や調節機構を操作する度に、そのように比較的大きなランプボードの開閉を行わなければならず、作業効率が悪かった。そのため、例えば、遊技機設置島に並設される遊技機設置用ユニットの上部のランプボードの呼び出しランプ設置の邪魔にならない呼び出しランプの両側方に貫通孔を設け、その貫通孔に挿入した工具等を用いて前方から内部の機構を操作することにより、ランプボードを開くことなしに、遊技機の前後位置等を調整する構造が知られている（特許文献１参照）。
【０００６】
しかしながら、そのような固定機構、調節機構、若しくは、それらを操作するための貫通孔が前面に剥き出しになっていると見栄えが悪い。また、呼び出しランプのサイズが大きくなると、固定機構、調節機構、若しくは、それらを操作するための貫通孔が呼び出しランプに隠れてしまい、それらの機構の操作ができなくなる。
【先行技術文献】
【特許文献】
【０００７】
【特許文献１】特願２００８−００９８５０
【発明の概要】
【発明が解決しようとする課題】
【０００８】
本発明は、遊技機設置島の上部に設置された固定機構、調節機構、若しくは、それらを操作するための貫通孔を隠し、見栄えを良くしながらも、それらの機構の操作を妨げることがないように、呼び出しランプを取り付けることを可能とするため技術を提供することを、その課題とする。
【課題を解決するための手段】
【０００９】
本願発明者は、上述の課題を解決するために、以下の発明を提案する。
本発明の呼び出しランプ取付部材は、遊技場において遊技者が従業員の呼び出しを行うために用いられる呼び出しランプを、呼び出しランプを取り付けるためのランプボードを有し、当該ランプボードに内部機構を操作するための貫通孔が設けられる所定の遊技機設置島に取り付けるために使用される部材であって、前記呼び出しランプが取り付けられる本体部と、前記本体部の上端を前記ランプボードに回動自在に支持するための支持機構とを有しており、前記本体部で前記貫通孔を覆い隠すように、前記支持機構によって前記ランプボードに支持される。このように、本体部の上端が遊技機設置島に回動自在に取り付けられることから、呼び出しランプ取付部材が上下方向へ開閉可能となる。そして、閉じた状態では、遊技機設置島の上部の固定機構、調節機構、若しくは、それらを操作するための貫通孔を隠し、見栄えを良くすることができ、一方、開いた状態では、貫通孔からそれらの機構を操作する際の妨げとならない。また、呼び出しランプは横長のものが一般的であるが、呼び出しランプ取付部材の上端が支持され、上方に開くようになっているため、そのような横長の呼び出しランプを取り付けた場合には、横方向に開くよりも、開閉動作が小さくて済む。
【００１０】
ある実施の態様では、前記ランプボードに前記支持機構によって回動自在に取り付けられた前記本体部を、前記内部機構が操作可能となる所定の回動位置でロックするためのロック機構をさらに有するものとしてもよい。その場合には、開いた状態を保つことができるため、遊技機設置島に内蔵された種々の機構をより操作しやすくなる。
【００１１】
前記ランプボードには、複数の貫通孔が設けられており、前記本体部は、前記複数の貫通孔を覆い隠すことが可能な大きさに形成されているものとしてもよい。その場合、前記本体部が貫通孔を一体的に覆うことができるため、貫通孔毎に目隠しをするカバーを設置する必要がない。
【００１２】
前記本体部の前記呼び出しランプが取り付けられる面は、取り付けられた前記呼び出しランプが下方から見やすくなるように、下向きに傾斜しているものとしてもよい。その場合には、遊技者が、呼び出しランプを下から見上げた際にも、見やすくなる。
【００１３】
前記本体部には、前記呼び出しランプの一部を嵌め込むための凹部が設けられているものとしてもよい。その場合には、呼び出しランプの基盤や配線を含む土台部分を収納でき、また、取り付けの際の位置決めが容易になる。
【００１４】
さらに、本発明の遊技機設置島は、所定の遊技機が設置されるためのものであり、呼び出しランプを取り付けるためのランプボードを有する遊技機設置島であって、前記ランプボードに、内部機構を操作するための貫通孔が設けられており、前記貫通孔を覆い隠すように、前記呼び出しランプ取付部材が支持されている。これにより、上部の固定機構、調節機構、若しくは、それらを操作するための貫通孔を隠し、見栄えを良くしながらも、それらの機構の操作を妨げることがないように、呼び出しランプを取り付けることが可能となる遊技機設置島が実現される。
【発明の効果】
【００１５】
本発明によれば、呼び出しランプを取り付ける取付部材を用いたことから、この呼び出しランプ取付部材によって遊技機設置島の上部の種々の機構及びそれらを操作するための貫通孔を覆い隠し、見栄えを良くすることができ、また、呼び出しランプ取付部材を回動自在に支持し、開閉可能としたことから、呼び出しランプを取り付けたままでも、呼び出しランプ取付部材を上方に開くことにより、遊技機設置島の上部の種々の機構及びそれらを操作するための貫通孔を露出させ、操作することができるという効果が得られる。
【図面の簡単な説明】
【００１６】
【図１】従来の遊技機設置島の部分正面図である。
【図２】遊技機の正面図である。
【図３】遊技機が設置された遊技機設置島の部分正面図である。
【図４】図３の遊技機設置島の部分側面図である。
【図５】固定装置の斜視図である。
【図６】本実施形態の呼び出しランプ取付部材が取り付けられた遊技機設置島の部分正面図である。
【図７】図６の遊技機設置島の部分側面図である。
【図８】（ａ）は、本実施形態の呼び出しランプ取付部材を閉じた状態を示す側面図であり、（ｂ）は、（ａ）の断面図である。
【図９】（ａ）は、本実施形態の呼び出しランプ取付部材を開いた状態を示す側面図であり、（ｂ）は、（ａ）の断面図である。
【発明を実施するための形態】
【００１７】
以下、本発明の実施形態を、図面を参照しつつ説明する。
まず、図１乃至図５を参照し、本実施形態の呼び出しランプが取り付けられる遊技機設置島について説明する。
図１は、従来の遊技機設置島の部分正面図である。図２は、遊技機の正面図である。図３は、遊技機が設置された遊技機設置島の部分正面図である。図４は、図３の遊技機設置島の部分側面図である。図５は、固定装置の斜視図である。
【００１８】
遊技機設置島２００は、遊技機３００を設置するために使用されるものであり、図１に示すように、矩形状の開口部を有しており、その上部にはランプボード２１０が設けられている。また、ランプボード２１０の裏側には、遊技機３００を固定するための固定装置２２０が取り付けられている。
【００１９】
遊技機３００は、図２乃至図４に示すように、その外周に内枠５００が取り付けられた後、遊技機設置島２００の開口部内に嵌め込まれ、固定装置２２０によって、上方から、押圧されることによって、固定される。また、後述するように、遊技機設置島２００の前方から、ランプボード２１０に開けられた貫通孔２３０を介し、工具等を用いて内部の固定装置２２０を操作することによって、遊技機３００の前後位置又は傾斜を調節することができる。
【００２０】
次に、図５を参照して、固定装置２２０を説明する。図５は、固定装置２２０の斜視図である。
固定装置２２０は、ランプボード２１０の裏側の位置に取り付けられる。ベース部材２２１が、遊技機設置島２００に固定されており、ベース部材２２１上には、前後位置及び傾斜を調節する調節装置２２４が設けられ、また、前後方向に移動可能な状態で収納部材２２２が取り付けてある。収納部材２２２内には、遊技機３００を上方から押圧する押圧装置２２３が設けられている。
押圧装置２２３は、バネ２２３ｂの弾性力によって、その先端の係止部２２３ａを、遊技機３００の外周に取り付けられた内枠５００に上方から圧接することにより、遊技機３００の固定を行う。
また、調節装置２２４は、ボルト２２４ａ、ナット２２４ｂ、第１金具２２４ｃ及び第２金具２２４ｄから構成される。ボルト２２４ａは、ナット２２４ｂに螺合されている。第１金具２２４ｃは、収納部材２２２に固着されており、第２金具２２４ｄは、ベース部材２２１に固着されている。
そして、ボルト２２４ａを回転させ、ナット２２４ｂに対し、前後方向に移動させることによって、第１金具２２４ｃと第２金具２２４ｄの相対距離、すなわち、収納部材２２２とベース部材２２１との相対距離を変えることができる。
すなわち、遊技機設置島２００の前方から、ランプボード２１０に開けられた貫通孔２３０を介し、工具等を用いて、内部のボルト２２４ａを回転させることによって、遊技機３００の前後位置又は傾斜を調節することが可能となる。
【００２１】
次に、図６乃至図９を参照して、本実施形態の呼び出しランプ取付部材１００について具体的に説明する。
図６は、本実施形態の呼び出しランプ取付部材が取り付けられた遊技機設置島の部分正面図である。図７は、図６の遊技機設置島の部分側面図である。図８の（ａ）は、本実施形態の呼び出しランプ取付部材を閉じた状態を示す側面図であり、（ｂ）は、（ａ）の断面図である。図９の（ａ）は、本実施形態の呼び出しランプ取付部材を開いた状態を示す側面図であり、（ｂ）は、（ａ）の断面図である。
【００２２】
まず、呼び出しランプ４００は、従業員の呼び出し、大当たりの告知等を行うためのものであって、詳細は図示しないが、呼び出しスイッチ、表示部等を備えた公知のものである。この呼び出しランプ４００は、呼び出しランプ取付部材１００に、例えばビスなどによって固定される。また、呼び出しランプ４００は、ランプボード２１０に設けられた貫通孔２３０を介して配線され、遊技機３００等と接続される。
【００２３】
本実施形態の呼び出しランプ取付部材１００は、図６及び図７のように、本体部は、正面視矩形状の器体であって、その前面に呼び出しランプ４００の基盤及び配線を含む土台部分を嵌め込むための凹部が設けられ、さらに、配線を行うための図示しない貫通孔が設けられている。凹部の大きさ及び深さは、少なくとも呼び出しランプ４００の土台部分よりも大きく、土台部分を収納し、隠せるものとなっている。さらに、呼び出しランプ４００を取り付ける際には、凹部に、呼び出しランプ４００の土台部分を嵌め込むことにより、容易に位置決めを行うことができる。
【００２４】
本実施形態の呼び出しランプ取付部材１００の本体部は、遊技機設置島２００のランプボード２１０に複数設けられた貫通孔２３０を、一部材で、全て覆い隠せる大きさに形成されている。呼び出しランプ取付部材１００の本体部は、ランプボード２１０の貫通孔２３０等を必要な範囲で隠せるものであれば良く、その形状は矩形状に限られず、楕円形状等のその他の形状であっても良い。また、特に、基盤や配線を収納する必要がない場合などには、器体ではなく、単に板状のものとしても良い。さらに、呼び出しランプ４００の土台部分を収納する必要がない場合には、凹部を設けないものとしてもよい。
【００２５】
図８及び図９のように、呼び出しランプ取付部材１００は、その上端が蝶番１１０で遊技機設置島２００に回動自在に支持され、開閉可能となっている。閉じられた状態では、図８のように、貫通孔２３０を覆っているが、上方に開くことにより、図９のように、貫通孔２３０を露出させ、固定装置２２０を操作したり、呼び出しランプ４００の配線を行ったりすることができる。
【００２６】
また、呼び出しランプ取付部材１００の両側端部には、一端がランプボード２１０に取り付けられた支持アーム１２０が取り付けられている。この支持アーム１２０は、呼び出しランプ取付部材１００を、開いた状態でロックし、保持することができる。呼び出しランプ取付部材１００を開いた状態で保持できるものであれば、支持アーム１２０の代わりに、他の公知のロック機構を用いても良い。
【００２７】
また、本実施形態の呼び出しランプ取付部材１００の前面は、図８に示されるように、垂直ではなく、傾斜がついている。傾斜をつけることによって、下方から呼び出しランプ４００を見上げる場合でも、その表示が見易くなる。
【００２８】
なお、本実施形態においては、ランプボードは、遊技機ごとに設けられたものとして説明したが、遊技機設置島ごと一連に設けられ、全体が一体的に開閉されるもののように、複数の遊技機にまたがるものの場合もある。
【符号の説明】
【００２９】
１００  呼び出しランプ取付部材
１１０  蝶番
１２０  支持アーム
２００  遊技機設置島
２１０  ランプボード
２２０  固定装置
２２１  ベース部材
２２２  収納部材
２２３  押圧装置
２２４  調節装置
２３０  貫通孔
３００  遊技機
４００  呼び出しランプ
【図１】
2010264101.tif 000003
【図２】
2010264101.tif 000004
【図３】
2010264101.tif 000005
【図４】
2010264101.tif 000006
【図５】
2010264101.tif 000007
【図６】
2010264101.tif 000008
【図７】
2010264101.tif 000009
【図８】
2010264101.tif 000010
【図９】
2010264101.tif 000011